(57)【特許請求の範囲】
【請求項１】
ラベル本体と、前記ラベル本体の裏面に設けられた粘着領域と、前記粘着領域によって前記ラベル本体に仮着されるセパレータと、を有するアイキャッチラベルであって、
前記粘着領域が設けられた前記ラベル本体には、前記セパレータから剥離可能として前記ラベル本体から再貼り着け可能に区画された剥離部分と、前記ラベル本体を被着物に貼り着ける貼り着け部分と、前記貼り着け部分でない領域と、が設けられ、
前記貼り着け部分が前記ラベル本体の下端部に設けられ、
前記剥離部分の裏面に前記粘着領域が設けられ、
前記セパレータが、前記粘着領域の前記剥離部分およびその周辺を含む領域を覆うように設けられ、
前記貼り着け部分が、前記セパレータの外側に位置する前記粘着領域とされることを特徴とする再貼り着け用ラベル。
【請求項２】
前記貼り着け部分が幅方向において、ラベルの全幅に亘って設けられて、前記剥離部分に対して前記幅方向と直交する上下方向における両側位置に設けられ、前記剥離部分に対して前記上下方向における両側位置において、いずれもラベルの全幅に亘って設けられることを特徴とする請求項１記載の再貼り着け用ラベル。
【請求項３】
前記幅方向と直交する上下方向が、前記被着物にラベルを貼り着ける際に、該被着物が移動する移動方向とされることを特徴とする請求項１または２記載の再貼り着け用ラベル。
【発明の詳細な説明】
【技術分野】
【０００１】
本発明は、再貼り着け用ラベルに係り、特に、内容物の移動に伴って容器外面形状が可変な使い捨て用容器などに対して貼り着けるとともに一部分を他の容器等に再貼り着けが容易に可能なラベルに用いて好適な技術に関する。
【背景技術】
【０００２】
これまで、詰め替え容器やパウチ容器などに対して、ラベル貼りという需要はあまりなかった。その理由は製品の天面部分を自由形状の輪郭として改良することで商品を目立たせることが可能なためである。
つまりアイキャッチのためのラベルは本来、貼ることによって商品を目立たせることが目的であるため、貼ることなく商品を目立たせることが可能であればラベルを貼る必要はないとされていた。
【０００３】
最近、詰め替え容器としてパウチ容器が使用される場合には、製造ロットナンバー等が表示されたラベルをパウチ容器に貼っておき、このラベルを詰め替え先の容器に貼り替えるというような用途があり、このような技術例が特許文献１に記載されている。
【０００４】
また、卵パックのように、ほぼ形状が変化しない容器に対して再貼り着け可能なラベルを貼り着ける技術が特許文献２に記載されている。
【先行技術文献】
【特許文献】
【０００５】
【特許文献１】特開２００２−３３７８８１号公報
【特許文献２】特開２０１０−１５２１１７号公報
【特許文献３】特開２００７−１６８２０４号公報
【発明の概要】
【発明が解決しようとする課題】
【０００６】
しかし、特許文献１では単にラベルを貼り替えるという技術のみが記載されているだけで貼り替える際のラベルの状態について配慮がなされているものではない。
特に、特許文献１記載の技術によれば、被着物に直接貼りついたラベルを強制的に剥がすため、粘着剤が強い場合には、剥がしにくい上、被着物に粘着剤が残って再貼り付け先の容器への粘着力が確保されない可能性もある、もしくは、粘着剤が弱い場合には、剥がしやすさは向上できるが、せっかく再貼り着けした張り替え容器から剥がれてしまう可能性があり、好ましくない。
さらに、特許文献１記載の技術によれば、被着物に直接貼りついたラベルを剥がす際、ラベルが曲がることによりラベルがカールしてしまう場合がある。そうすると貼り替え先の容器にラベルを貼り替えにくくなるという問題があった。
【０００７】
また昨今、ドラッグストアなどでは、本体容器に比べて詰め替え用容器としてパウチ容器の販売数が多くなっており、詰め替え用パウチ容器が商品の主流となってゆく傾向があるため、詰め替え用容器においても他の商品との差別化のためにアイキャッチャーなラベルを貼りたいという要求が発生してきた。
しかし、特許文献２記載に記載されているのは卵パックのようにある程度変形しない容器に貼り着ける技術であるが、詰め替え用容器つまり使い捨て用容器の主流であるパウチ容器は、内容物が液体で、現状、ラベルの自動貼りなどに対応できる技術がないという問題があった。
このように内容物の移動による変形が著しいパウチなどでは、内容物の充填後にラベルを貼ることができないために、特許文献３のように、充填前はおろか、パウチ形成前にラベルを貼ることが検討されている。
【０００８】
本発明は、上記の事情に鑑みてなされたもので、以下の目的を達成しようとするものである。
１．部分的に剥離・再貼り着け可能な再貼り着け用ラベルにおいて、被着物に貼り付ける際にあらかじめ剥がす目的箇所においては直接被着物とラベルの糊面が触れない状態を可能とすること。
２．被着物として液体等が収容されて内容物によって輪郭あるいは外形が可変な容器に貼り着け可能とすること。
３．自動化を可能として詰め替え容器への貼り着けにかかるコストの削減を図ること。
４．ラベルの接着性と、再貼り着け部分の剥離性および再貼り着け性との両立を図ること。
【課題を解決するための手段】
【０００９】
本発明の再貼り着け用ラベルは、ラベル本体と、前記ラベル本体の裏面に設けられた粘着領域と、前記粘着領域によって前記ラベル本体に仮着されるセパレータと、を有するアイキャッチラベルであって、
前記粘着領域が設けられた前記ラベル本体には、前記セパレータから剥離可能として前記ラベル本体から再貼り着け可能に区画された剥離部分と、前記ラベル本体を被着物に貼り着ける貼り着け部分と、前記貼り着け部分でない領域と、が設けられ、
前記貼り着け部分が前記ラベル本体の下端部に設けられ、
前記剥離部分の裏面に前記粘着領域が設けられ、
前記セパレータが、前記粘着領域の前記剥離部分およびその周辺を含む領域を覆うように設けられ、
前記貼り着け部分が、前記セパレータの外側に位置する前記粘着領域とされることにより上記課題を解決した。
本発明において、前記貼り着け部分が幅方向において、ラベルの全幅に亘って設けられて、前記剥離部分に対して前記幅方向と直交する上下方向における両側位置に設けられ、前記剥離部分に対して前記上下方向における両側位置において、いずれもラベルの全幅に亘って設けられることがより好ましい。
本発明の再貼り着け用ラベルには、前記幅方向と直交する上下方向が、前記被着物にラベルを貼り着ける際に、該被着物が移動する移動方向とされることが可能である。
【００１０】
本発明の再貼り着け用ラベルは、ラベル本体と、前記ラベル本体の裏面に設けられた粘着領域と、前記粘着領域によって前記ラベル本体に仮着されるセパレータと、を有するラベルであって、
前記粘着領域が設けられた前記ラベル本体には、前記セパレータから剥離可能として前記ラベル本体から再貼り着け可能に区画された剥離部分と、前記ラベル本体を被着物に貼り着ける貼り着け部分と、が設けられ、
前記剥離部分の裏面に前記粘着領域が設けられ、
前記セパレータが、前記粘着領域の前記剥離部分およびその周辺を含む領域を覆うように設けられ、
前記貼り着け部分が、前記セパレータの外側に位置する前記粘着領域とされることにより、ラベルを被着体に貼り着けている粘着剤と同じ粘着剤を裏面に有する剥離部分をラベル本体から分離可能としつつ、同時に、セパレータによって剥離部分の粘着剤が被着物には当接しないようにすることで、この剥離部分における剥離性と再貼着性とを両立することが容易に可能となる。
【００１１】
本発明において、前記貼り着け部分が幅方向において、ラベルの全幅に亘って設けられることにより、ラベルを被着物に貼り着ける際に、被着物に収容された内容物の移動によって被着物（容器）表面が変形する場合でもラベルを被着物表面に対して強固に固着して、ラベルがずれたり剥がれたりすることを防止できる。しかもこのような強固な貼り着けを実現できる粘着剤を剥離部分にも配することができるので、剥離部分の再付着を強固におこなうことを可能にできる。
【００１２】
特に、自動貼り着け機等を利用して被着物を寝かせた状態でラベルを貼り着ける場合に、被着物（容器）表面が内容物の移動等により変形する場合でも、被着物におけるラベル貼り付け位置での表面凹凸形状の状態にかかわらず、貼り着け部分が幅方向のどこか一部分でも被着物表面に接着することで、ラベルと被着物との位置を固定して、最初に接着した部分から幅方向にラベルと被着物との接着部分を増やしていき、ラベル全幅まで接着状態を拡大することにより、ラベルを被着物表面に対して強固に固着して、ラベルがずれたり剥がれたりすることを防止できる。
【００１３】
本発明の再貼り着け用ラベルには、前記貼り着け部分が、前記剥離部分に対して、前記幅方向と直交する上下方向における両側位置に設けられることにより、ラベル本体と被着物との間に位置するセパレータを、貼り着け部分によって上下位置で固定しラベル本体と被着物との間に挟むことになるため、ラベルを被着物に貼り着けた後に、セパレータがラベルから剥がれてしまうことを防止するとともに、剥離部分が不用意に離脱してしまうことも防止できる。また、自動貼り機によるラベルの貼り付け時に、被着物（容器）表面が変形した場合でもラベルを被着物表面に対して二カ所で強固に固着して、ラベルがずれたり剥がれたりすることを防止できる。
なお、本発明において、幅方向と直交する上下方向における両側位置とは、剥離部分の上側および下側の位置を意味するものである。
【００１４】
また、本発明において、前記剥離部分に対して前記上下方向における両側位置に設けられた前記貼り着け部分が、いずれもラベルの全幅に亘って設けられることにより、自動貼り着け機等を利用して被着物を寝かせた状態でラベルを貼り着ける場合に、被着物（容器）表面が内容物の移動等により変形する場合でも、先に被着物と接触する側の貼り着け部分が幅方向のどこか一部分でも被着物表面に接着することで、被着物におけるラベル貼り付け位置での表面凹凸形状の状態にかかわらず、ラベルと被着物との位置を固定して規制し、最初に接着した部分から幅方向にラベルと被着物との接着部分を増やしていき、ラベル全幅まで接着状態を拡大することにより、ラベルを被着物表面に対して強固に固着するとともに、後で被着物と接触する側の貼り着け部分が幅方向のどこか一部分でも被着物表面に接着することで、ラベルと被着物との位置を固定して、最初に接着した部分から幅方向にラベルと被着物との接着部分を増やしていき、ラベル全幅まで接着状態を拡大することにより、ラベルが被着物に対してずれたり剥がれたりすることを容易にかつ効率よく防止することが可能となる。
【００１５】
また、前記幅方向と直交する上下方向が、前記被着物にラベルを貼り着ける際に、該被着物が移動する移動方向とされることにより、被着物とラベルとの相対移動に伴って、ラベルを貼り着ける際に、貼り着け部分をラベルの幅方向に延在させて、貼り着け部分が幅方向のどこか一部分でも被着物表面に接着することで、被着物におけるラベル貼り付け位置での表面凹凸形状の状態にかかわらず、ラベルと被着物とを確実に接続して、最初に接着した部分から幅方向にラベルと被着物との接着部分を増やしていき、ラベル全幅まで接着状態を拡大することにより、ラベルを被着物表面に対して確実に固着して、ラベルの貼り損ないが発生してしまうことを防止できる。
【００１６】
また、前記セパレータが幅方向において、ラベルの全幅に亘って設けられることにより、変形する被着物表面に対して、セパレータの上下方向両側に位置する貼り着け部分によって接着されることになるので、被着物に対して、ラベルが依れて変形した状態で貼り着けられてしまうことを防止できる。また、セパレータの上下方向両側に位置する貼り着け部分によって被着物に接着されることになるので、被着物表面の変形に追従してラベルが褶曲変形した場合でも、ラベルが剥がれて離脱してしまうことを防止できる。
【００１７】
また、前記粘着領域が強粘材からなることにより、ラベルを強固に被着物に貼り着けるとともに、剥離部分を確実に再付着することができ、ラベルおよび剥離部分の両方において、剥がれたり貼り着け不良が発生することを防止できる。
【００１８】
本発明においては、前記被着物が、詰め替え用パウチ容器とされることにより、被着物（容器）表面が内容物の移動等により変形する場合でも、被着物におけるラベル貼り付け位置での表面凹凸形状の状態にかかわらず、ラベルが剥がれて離脱してしまうことを防止できる。
【発明の効果】
【００１９】
本発明によれば、被着物におけるラベル貼り付け位置での表面凹凸形状の状態にかかわらず、ラベルを強固に被着物に貼り着けるとともに、剥離部分の剥離性と再貼り着け性を良好にすることができるという効果を奏することができる。
【図面の簡単な説明】
【００２０】
【図１】本発明に係る再貼り着け用ラベルの第１実施形態における表面を示す平面図である。
【図２】本発明に係る再貼り着け用ラベルの第１実施形態における裏面を示す平面図（ａ）、および矢視断面状態を示す断面図（ｂ）である。
【図３】本発明に係る再貼り着け用ラベルの第１実施形態を貼り着ける被着物としてのスタンディングパウチを示し、（ ａ ） はその側断面図、（ ｂ ） はその平面図である。
【図４】本発明に係る再貼り着け用ラベルの第１実施形態を図３のスタンディングパウチに貼り着けた状態を示す斜視図である。
【図５】本発明に係る再貼り着け用ラベルの第１実施形態を貼り着ける被着物としてのスタンディングパウチにおいて貼り着け工程における寝かせた状態を示す斜視図である。
【図６】本発明に係る再貼り着け用ラベルの第１実施形態を図５のスタンディングパウチに自動貼り着け機により貼り着ける工程を示す工程図である。
【図７】本発明に係る再貼り着け用ラベルの第１実施形態を図５のスタンディングパウチに自動貼り着け機により貼り着ける工程を示す工程図である。
【図８】本発明に係る再貼り着け用ラベルの第１実施形態を貼り着ける被着物としてのスタンディングパウチの他の例を示す斜視図である。
【図９】本発明に係る再貼り着け用ラベルの第１実施形態における他の例での裏面を示す平面図である。
【図１０】本発明に係る再貼り着け用ラベルの実施形態における表面の例を示す平面図である。
【図１１】本発明に係る再貼り着け用ラベルの実施形態における表面の例を示す平面図である。
【図１２】本発明に係る再貼り着け用ラベルの実施形態における表面の例を示す平面図である。
【図１３】本発明に係る再貼り着け用ラベルの実施形態における表面の例を示す平面図である。
【図１４】本発明に係る再貼り着け用ラベルの実施形態における表面の例を示す平面図である。
【図１５】本発明に係る再貼り着け用ラベルの実施形態における表面の例を示す平面図である。
【発明を実施するための形態】
【００２１】
以下、本発明に係る再貼り着け用ラベルの第１実施形態を、図面に基づいて説明する。
図１は、本実施形態における再貼り着け用ラベルの表面を示す平面図であり、図２は、同裏面を示す平面図（ａ）、および、同ｂｂ’矢視断面図（ｂ）であり、図において、符号１０は、再貼り着け用ラベルである。
【００２２】
本実施形態における再貼り着け用ラベル１０は、被着物としてのパウチＰに貼り着けるものとされる。
本実施形態における再貼り着け用ラベル１０は、図１，図２に示すように、ラベル本体１１と、ラベル本体１１に設けられて剥離および再貼り着け可能にラベル本体１１から分離可能な剥離部分１２と、ラベル本体１１の裏面で剥離部分１２を含む領域に設けられた粘着領域１３と、粘着領域１３の剥離部分１２およびその周辺領域を覆うセパレータ１４と、を有する。
【００２３】
本実施形態におけるラベル本体１１は矩形とされているが、これは一例であり、アイキャッチャーなど、所定の輪郭形状を有するものとされる。ラベル本体１１の表面側は、印刷面とされており、所望の文字、図形、デザイン等を印刷することができる。
【００２４】
ラベル本体１１を構成する基材としては、特に限定されないが、例えば、ポリエチレンテレフタレートなどのポリエステル系、ポリスチレン系、ポリエチレン系、ポリプロピレン系、ポリカーボネート系、ポリアミド系などの単層又は２層以上の積層フィルムなどの柔軟な熱可塑性樹脂フィルム、二軸延伸ポリエステル系フィルム、紙、ユポ（登録商標；株式会社ユポ・コーポレーション）、アルミ層を有するフィルム素材など、従来のラベルの基材として用いられているもので、印刷可能なものが挙げられる。
ラベル本体１１の厚みは、通常、３０〜５００μｍ程度のものが用いられる。
【００２５】
剥離部分１２は、図１，図２に示すように、ラベル本体１１を部分的に打ち抜いたものとされ、破断線、連続した切断線、半抜き等によりラベル本体１１から分離可能とされている。剥離部分１２は、ラベル本体１１よりも小さければその大きさ・輪郭形状は任意であるが、ラベル１０をパウチＰに貼り着けることが可能であることが必要である。剥離部分１２には、例えば、
・詰め替え容器の使用開始表示
・詰め替え製品の賞味期限表示（中面に印字も対応可能）
・製品のロットナンバーなどの表示（詰め替え前の情報を詰め替え後も残す）
・製造業者側の注意書き表示として（使用できない製品の紹介など）
・マイレージキャンペーンラベル表示（はがき応募など）
などを表示することが可能である。
あるいは、剥離部分１２は、袋入り調味料（砂糖・塩等）において、開封後に開口された部分を閉塞しておくための袋止ラベルとして使用することも可能である。
【００２６】
粘着領域１３は、図１，図２に示すように、ラベル本体１１裏面の剥離部分１２を含む領域に設けられ、強粘剤からなるものとされる。
ここで、強粘剤とは、被着物への恒久的な接着や接着しづらい 凹凸面への充分な接着力を有するものである。
【００２７】
粘着領域１３は、図１，図２に示すように、ラベル本体１１裏面において、剥離部分１２を含むとともに、この剥離部分１２に対して、上下方向Ｖの両側まで連続する部分を有するように設けられ、かつ、ラベル本体１１の幅方向Ｈの全寸法Ｈ０となるように設定されている。
【００２８】
セパレータ１４は、図１，図２に示すように、ラベル本体１１裏面において、剥離部分１２を含むとともに、この剥離部分１２に対して、上下方向Ｖの両側に連続する部分があるように、幅方向Ｈにおける剥離部分１２の寸法よりも大きな幅方向寸法を有して設けられる。また、セパレータ１４は、上下方向Ｖにおける剥離部分１２の両側位置に貼り着け部分１３Ａ，１３Ｂとなる充分な幅寸法を有するように、剥離部分１２より大きく粘着領域１３よりも小さな上下方向寸法を有する。
セパレータ１４は、また、ラベル本体１１の幅方向Ｈの全寸法Ｈ０と等しい幅寸法となるように設けられている。本実施形態では、セパレータ１４は、矩形状の輪郭を有するものとされているが、ラベル本体１１および剥離部分１２の輪郭形状に対応してこれ以外の形状として設定することもできる。
【００２９】
セパレータ１４は、粘着領域１３の強粘材に対して易剥離性を有する程度に弱く接着する表面を有し、例えば、シリコーン樹脂などの剥離剤を含む塗工液（ 例えば、シリコーンを含む紫外線硬化型インキなど） 、ワックス・滑剤・シリコーンオイルなどの離型性を向上できる添加剤を混合した塗工液、微粒子を含む塗工液などを紙などに塗工することにより形成することができる。
【００３０】
貼り着け部分１３Ａ，１３Ｂは、図２に示すように、セパレータ１４の上下にそれぞれ設けられて、ラベル本体１１の下端部においてその全幅に位置するように下貼り着け部分（貼り着け部分）１３Ａが設けられ、セパレータ１４の上側に隣接してその全幅に位置するように上貼り着け部分（貼り着け部分）１３Ｂが設けられる。
下貼り着け部分１３Ａ，上貼り着け部分１３Ｂは、図２に示すように、いずれも矩形状の輪郭を有するものとされているが、ラベル本体１１および剥離部分１２の輪郭形状に対応してこれ以外の形状として設定することもできる。この場合でも、後述するように、ラベル１０をパウチＰに貼り着ける際に必要な上下方向Ｖにおける幅寸法、および幅方向Ｈにおける寸法Ｈ０を有することが必要である。
【００３１】
本実施形態では、貼り着け部分１３Ａがラベル本体１１の下端部に所定幅を持って設けられているが、後述するように、ラベル１０をパウチＰに貼り着ける際に、支障がなければ、ラベル本体１１の下端側に貼り着け部分でない領域を設けることが可能であるが、基本的に、ラベル本体１１の下端全幅に設けられることが好ましい。
また、貼り着け部分１３Ｂがラベル本体１１の上下方向Ｖ中央付近に位置しているが、剥離部分１２の上側全幅に設けられていれば問題はなく、上貼り着け部分１３Ｂがラベル本体１１の上端部に設けられることもできる。さらに、本実施形態における上貼り着け部分１３Ｂよりも上下方向Ｖの上側位置に、上貼り着け部分１３Ｂとは離間した別の貼り着け部分を設けることも可能である。
【００３２】
パウチＰは、液状の食品類やトイレタリーやハウスケア用の液状薬剤などの液状内容物を密封包装した自立可能なパウチ、チューブ、紙器などからなる詰め替え容器や、砂糖、小麦粉などの粉体や米穀などの粒体が充填されて、内容物が移動することで容器外形が変化する食品販売用容器などとされる。
【００３３】
パウチＰは、図３〜図５に示すように、例えば、自立可能なスタンディングパウチとされる。パウチＰは、製袋用とされるフィルムとして、片面にシーラント層の設けられた矩形状の外側樹脂フィルム１、１を、シーラント層が内側になるようにして２枚重ねにし、その下端部の重ね合わせ内面に、外側樹脂フィルム１と同等の製袋用フィルムとして、片面にシーラント層の設けられた内側樹脂フィルム２を二つ折りにして挟み込んでいる。この二つ折りして挟み込んだ内側樹脂フィルム２は、片面に設けられたシーラント層を外面にして外側樹脂フィルム１、１の下端部に挟み込まれている。
【００３４】
そして、重ね合わせた外側樹脂フィルム１，１と内側樹脂フィルム２とにおいては、図３（ｂ）に示すように、重ね合わせた外側樹脂フィルム１，１の両側端部が、重ね合わせシーラント層によりヒートシールされて両側端シール部３、３として形成されている。また、重ね合わせた外側樹脂フィルム１と内側樹脂フィルム２の下端部が、下端シール部４として形成されている。同時に、外側樹脂フィルム１、１と内側樹脂フィルム２とにおいて、両側端部と下端部で形成されるそれぞれ角隅部には、重ね合わせシーラント層により略三角形状のヒートシール領域５、５が形成される。そして、残りの１方辺には内容物充填用の開口部６が形成されたものである。
【００３５】
そして、上記のパウチ（スタンディングパウチ）Ｐは、開口部６より液状内容物を充填した後に、図４に示すように、開口部６の上端部をヒートシールして上端シール部７を形成して密封包装したものである。充填包装後のパウチ胴部の外周面形状は、理想的には、図４に示すように、上端部から下端部に亘って単純な直線的な外形を備えているものであるが、図５に示すように、パウチＰを横に寝かせた場合、胴部の外周面形状は、内容物の移動によって、予測できない凹凸を生じることになるものである。
【００３６】
本実施形態の再貼り着け用ラベル１０は、ラベル本体１１にハーフカットで剥離部分１２を形成し、粘着領域１３を形成し、セパレータ１４を貼り着けるだけで再貼り着け用ラベル１０として製造することができる。
【００３７】
再貼り着け用ラベル１０は、図４に示すように、パウチＰの表面に貼り着け部分１３Ａ，１３Ｂによって、貼り着けられる。上貼り着け部分１３Ａおよび下貼り着け部分１３Ｂがいずれもラベル本体１１の全幅に亘って設けられていることで、パウチＰ表面に対して強固に貼り着けることができる。同時に、セパレータ１４によって剥離部分１２の裏面に位置する粘着領域１３がパウチＰ表面には接触していない状態を維持して再貼り着け用ラベル１０を貼り着けているため、強粘着性の接着剤からなる粘着領域１３であっても、容易に剥離領域１２をセパレータ１４から剥離して、再貼り着け用ラベル１０から分離することができ、同時に、そのままで、剥離部分１２において、再貼り着け用ラベル１０をパウチＰに接着するのと同等の強接着性を維持することを可能としている。
【００３８】
剥離部分１２をラベル本体１１から分離する際には、剥離部分１２の上下両側で再貼り着け用ラベル１０の全幅に上貼り着け部分１３Ａおよび下貼り着け部分１３Ｂが位置してラベル本体１１がパウチに貼り着けられているため、このラベル本体１１から剥離部分１２を容易に剥離することが可能である。
【００３９】
次に、本実施形態における再貼り着け用ラベル１０を、自動貼り着け機を用いてパウチPに貼り着ける方法について説明する。
【００４０】
図６，図７は、本実施形態における再貼り着け用ラベル１０をパウチPに貼り着ける工程を示す工程図である。
【００４１】
本実施形態における再貼り着け用ラベル１０を、パウチPに貼り着ける自動貼り着け機は、図６，図７に示すように、パウチPを横に寝かせた状態で搬送する搬送手段Ｂと、再貼り着け用ラベル１０を供給する供給手段Ｓと、パウチＰの位置を測定する測定手段Ｃと、再貼り着け用ラベル１０とパウチＰ表面との貼り着けの仕上げをする仕上げ手段Ｍとを概略有するものとされる。これら、搬送手段Ｂ、供給手段Ｓ、測定手段Ｃ、仕上げ手段Ｍ等は、いずれも図示しない駆動源により駆動されるとともに、図示しない制御部によって制御されている。
【００４２】
搬送手段Ｂは、コンベア等とされて、その上側に載置されたパウチＰを略水平方向に移動するものとされ、本実施形態では、搬送手段Ｂ上に寝かせて横置きされたパウチＰを、パウチＰの上下方向Ｖに移動するものとされる。このとき、最も厚い部分であるパウチＰの下端部側が進行方向Ｖの前側となる。コンベアＢは、一方向に循環駆動する無端ベルトと、図示しない無端ベルトを循環駆動させる一対のプーリおよびこのプーリを駆動する駆動源からなる駆動部とを有することができる。
【００４３】
供給手段Ｓは、断続的に搬送手段Ｂによって搬送されるパウチＰに対して、次々と再貼り着け用ラベル１０を貼り着け部分１３Ａを前側として供給することが可能とされている。供給手段Ｓは、例えば、搬送手段Ｂの進行方向（上下方向）Ｖと直交する軸線に対して揺動可能な供給腕を有し、ほぼ水平方向に維持された供給腕上に再貼り着け用ラベル１０を載置するとともに、供給腕の先端が下降するように回動して、傾斜した供給腕の先端から再貼り着け用ラベル１０を突出させるとともに、供給腕の下側に位置するパウチPに対して再貼り着け用ラベル１０を供給するものとなっている。供給手段Ｓは、再貼り着け用ラベル１０を貼り着け部分１３Ａを前側として供給することが可能な構成であれば、この構成に限るものではない。
【００４４】
測定手段Ｃは、例えばＣＣＤカメラ等の撮像装置とされ、搬送手段Ｂ上で搬送されるパウチＰの位置、特に、搬送方向Ｖにおいて、パウチＰの下端部が供給手段Ｓの供給腕先端位置に対してどの程度の距離にあるのかを測定するものとされ、撮像した画像を出力可能として画像処理および判定処理が可能な図示しない制御部に接続されている。
【００４５】
仕上げ手段Ｍは、供給手段Ｓによって、パウチＰの胴部表面に載置されて部分的に貼り着けられた再貼り着け用ラベル１０をその上側から押圧して、再貼り着け用ラベル１０をパウチＰの胴部表面に貼り着ける仕上げ工程をおこなうものとされ、例えば、下側に植毛されたブラシなどから構成されることができる。また、図示しないが、内容物の移動によって変形するパウチＰに対して、確実に再貼り着け用ラベル１０を貼り着けるため、再貼り着け用ラベル１０の載置された部分以外のパウチＰ胴部を押圧するローラ等を含む構成とすることも可能である。
【００４６】
本実施形態における再貼り着け用ラベル１０をパウチPに貼り着ける工程としては、パウチ供給工程として、まず、図６（ａ）に示すように、パウチＰをその下端部が進行方向Ｖ前側となるように、コンベア等とされる搬送手段Ｂ上に寝かせて横置きし、パウチＰの上下方向ＶにパウチＰの下端部を前向きとして移動する。
同時に、搬送手段Ｂの上側に位置する供給手段Ｓは、下端部の貼り着け部分１３Ａが進行方向Ｖの前側となるように、準備状態である水平状態とされた供給腕の上側に再貼り着け用ラベル１０を載置して、パウチＰの上側から再貼り着け用ラベル１０を供給可能な準備状態とする。
【００４７】
次いで、パウチ位置測定工程として、図６（ｂ）に示すように、搬送手段Ｂの駆動によって移動したパウチＰの位置を測定手段Ｃによって撮像し、パウチＰの下端部と供給手段Ｓの供給腕先端との距離Ｌを測定する。パウチＰの下端部と供給手段Ｓの供給腕先端との距離Ｌが所定の値となった時点で、貼り付け位置に来たと制御部が判断して、供給手段Ｓに貼り着け開始信号を出力する。
【００４８】
次いで、ラベル供給工程として、図６（ｃ）に示すように、貼り着け開始信号に基づいて、供給手段Ｓは供給腕を回動して供給腕先端を下降させる。
【００４９】
すると、ラベル接触工程として、図６（ｄ）に示すように、下端部の下貼り着け部分（貼り着け部分）１３Ａが供給腕先端から突出し、この下貼り着け部分１３ＡがパウチＰ胴部に接触する。
下貼り着け部分（貼り着け部分）１３Ａは、再貼り着け用ラベル１０の全幅に設けられた粘着領域１３とされているため、寝かされたパウチＰの胴部がどのように変形していたとしても、少なくとも下貼り着け部分１３Ａの一部分は、確実にパウチＰの胴部と接触することになる。
【００５０】
次いで、パウチ移動工程として、図７（ａ）に示すように、搬送手段Ｂによって、パウチＰを搬送方向Ｖに移動する。これにより、下貼り着け部分１３Ａの一部分がパウチＰの胴部と接触した状態とされた再貼り着け用ラベル１０が、パウチＰの移動に伴って、進行方向ＶにパウチＰと同じ長さだけ移動する。この際、再貼り着け用ラベル１０とパウチＰの胴部とは、少なくともラベル接触工程において接触した下貼り着け部分１３Ａの部分で粘着しており、この状態は維持されている。
【００５１】
次いで、次接触工程として、図７（ｂ）に示すように、搬送手段Ｂによって搬送方向Ｖに移動するパウチＰに伴って、供給腕上の再貼り着け用ラベル１０が進行方向Ｖに移動して、供給腕先端から再貼り着け用ラベル１０がさらに突出した状態となり、再貼り着け用ラベル１０の上貼り着け部分１３ＢがパウチＰの胴部と接触する位置まで搬送方向Ｖに移動する。
これにより、パウチＰの胴部と接触した上貼り着け部分１３Ｂが、再貼り着け用ラベル１０の全幅に設けられた粘着領域１３とされているため、パウチＰの胴部と接触した上貼り着け部分１３Ｂの部分で粘着する。
【００５２】
次いで、接触完了工程として、図７（ｃ）に示すように、搬送手段Ｂによって搬送方向Ｖに移動するパウチＰに伴って、再貼り着け用ラベル１０は進行方向Ｖに移動して、再貼り着け用ラベル１０の上端部分が供給腕先端から離間する状態となり、再貼り着け用ラベル１０の全体がパウチＰの胴部上に載置された状態となる。このとき、パウチＰの胴部と接触した下貼り着け部分１３Ａおよび上貼り着け部分１３Ｂが、ラベル接触工程および次接触工程においてパウチＰの胴部と接触した下貼り着け部分１３Ａおよび上貼り着け部分１３Ｂの部分で粘着する。
【００５３】
次いで、仕上げ工程として、図７（ｄ）に示すように、搬送手段Ｂによって搬送方向Ｖに移動するパウチＰに伴って、ブラシ等の仕上げ手段Ｍにより、パウチＰの胴部上にある再貼り着け用ラベル１０を上側からパウチＰの胴部側に押圧してなじませ、下貼り着け部分１３Ａおよび上貼り着け部分１３Ｂが、その進行方向Ｖおよび幅方向Ｈの全長でパウチＰ表面に貼り着けられた状態とする。このとき、図示しないローラ等で、パウチＰの貼り着け部分以外の箇所を押圧または規制して、パウチＰ形状を安定させて、より確実に再貼り着け用ラベル１０を貼り着けるようにすることもできる。なお、パウチ移動工程、次接触工程、接触完了工程のいずれかから、仕上げ手段Ｍにより再貼り着け用ラベル１０をなじませ始めることも可能である。
【００５４】
これにより、本実施形態の再貼り着け用ラベル１０を自動貼り着け機を用いてパウチＰに貼り着けることができる。
【００５５】
本実施形態の再貼り着け用ラベル１０は、ラベル本体１１の貼り着けと同じ粘着剤からなる粘着領域１３を有する剥離部分１２を分離可能として、セパレータ１４によってパウチＰには接触しない状態として貼り着けられていることで、剥離部分１２における剥離性と再貼着性とを両立することが容易に可能となる。
【００５６】
本実施形態の再貼り着け用ラベル１０は、ラベル本体１０をパウチＰに貼り着ける際に、パウチＰに収容された内容物の移動によってパウチ（容器）Ｐ胴部の形状が変形した場合でも、下貼り着け部分１３Ａが幅方向全幅に設けられていることにより、パウチＰにおけるラベル貼り付け位置での表面凹凸形状の状態にかかわらず、下貼り着け部分１３Ａが幅方向のどこか一部分でもパウチＰ胴部表面に接着することで、再貼り着け用ラベル１０とパウチＰとの位置を固定して、最初に接着した部分から幅方向に再貼り着け用ラベル１０とパウチＰとの接着部分を増やしていき、再貼り着け用ラベル１０全幅Ｈ０まで接着状態を拡大することにより、再貼り着け用ラベル１０をパウチＰ表面に対して強固に固着して、再貼り着け用ラベル１０がずれたり剥がれたりすることを防止できる。
【００５７】
本実施形態の再貼り着け用ラベル１０には、貼り着け部分１３Ａ，１３Ｂが上貼り着け部分１３Ａおよび下貼り着け部分１３Ｂとして、幅方向Ｈと直交する上下方向Ｖにおいて、セパレータ１４の上下両側位置に設けられることにより、再貼り着け用ラベル１０をパウチＰに貼り着けた後に、これら上貼り着け部分１３Ａおよび下貼り着け部分１３Ｂで挟まれたセパレータ１４が再貼り着け用ラベル１０から剥がれてしまうことを防止できる。また、貼り着け部分１３Ａ，１３Ｂが剥離部分１２の上下両側位置に設けられるとともに、剥離部分１２よりも大きな幅方向寸法として再貼り着け用ラベル１０の幅方向Ｈの全長Ｈ０で貼り着けられていることにより、多少は変形するパウチＰ表面に対して、再貼り着け用ラベル１０としての折れ曲がり等を少なくすることができるため、剥離部分１２がセパレータ１４から不用意に離脱してしまうことも防止できる。また、自動貼り機による再貼り着け用ラベル１０の貼り付け時に、パウチＰ表面が変形して凹凸が生じた場合でも、再貼り着け用ラベル１０をパウチＰ表面に対して上下方向Ｖの二カ所で強固に固着して、再貼り着け用ラベル１０がずれたり剥がれたりすることを防止できる。
【００５８】
また、上下方向Ｖにおいて剥離部分１２の両側位置に設けられた下貼り着け部分１３Ａおよび上貼り着け部分１３Ｂが、いずれも再貼り着け用ラベル１０の全幅Ｈ０に亘って設けられることにより、自動貼り着け機等を利用して寝かせた状態のパウチＰに再貼り着け用ラベル１０を貼り着ける場合に、搬送手段Ｂによって搬送されてきたパウチＰの形状が予測できない凹凸を有する場合でも、ラベル接触工程において、先にパウチＰ胴部と接触する下貼り着け部分１３Ａが幅方向Ｈのどこか一部分でもパウチＰに接着することで、貼り付け位置でのパウチＰ表面凹凸の状態にかかわらず、再貼り着け用ラベル１０とパウチＰとの上下方向Ｖにおける貼り着け位置を固定するとともに、最初に接着した部分から幅方向に下貼り着け部分１３ＡとパウチＰとの接着割合を増やしていき、再貼り着け用ラベル１０の全幅Ｈ０まで接着状態を拡大することにより、再貼り着け用ラベル１０をパウチＰに対して強固に固着するとともに、後でパウチＰと接触する上貼り着け部分１３Ｂが幅方向のどこか一部分でもパウチＰ胴部に接着することで、再貼り着け用ラベル１０とパウチとの貼り着け方向を固定して、最初に接着した部分から幅方向に上貼り着け部分１３Ｂの接着割合を増やしていき、再貼り着け用ラベル１０全幅Ｈ０まで接着状態を拡大することにより、ラベルが被着物に対してずれたり剥がれたりすることを容易にかつ効率よく防止することが可能となる。同時に、搬送手段ＢによるパウチＰの移動と仕上げ手段Ｍによる処理により、再貼り着け用ラベル１０とパウチＰとの貼り着け状態を強固にすることができる。
【００５９】
また、セパレータ１４が全幅Ｈ０に亘って設けられることにより、セパレータ１４の上下両側位置の貼り着け部分１３Ａ，１３Ｂによって再貼り着け用ラベル１０が接着されることになるので、変形して凹凸を生ずるパウチＰ表面に対して、再貼り着け用ラベル１０が依れて変形した状態で貼り着けられてしまうことを防止できる。また、セパレータ１４の上下両側の貼り着け部分１３Ａ，１３Ｂによって接着されることで、パウチＰ表面の変形に追従して再貼り着け用ラベル１０が褶曲変形した場合でも、剥がれて離脱してしまうことを防止できる。
【００６０】
再貼り着け用ラベル１０の下端部全幅に下貼り着け部分１３Ａが設けられることで、パウチＰに再貼り着け用ラベル１０を貼り着ける際に、パウチＰが移動する移動方向Ｖの最前側に下貼り着け部分１３Ａが位置することにより、パウチＰと再貼り着け用ラベル１０との相対移動に伴って、再貼り着け用ラベル１０が最初にパウチＰと接触する位置に下貼り着け部分１３Ａがあることになる。これにより、下貼り着け部分１３Ａの幅方向のどこか一部分でもパウチＰ表面に接着することで、パウチＰと再貼り着け用ラベル１０とを確実に接続して、最初に接着した部分から幅方向に接着割合を増やしていき、再貼り着け用ラベル１０全幅Ｈ０まで接着状態を拡大することにより、再貼り着け用ラベル１０をパウチＰ表面に対して確実に固着して、再貼り着け用ラベル１０の貼り損ないが発生してしまうことを防止できる。
【００６１】
なお、本実施形態における再貼り着け用ラベル１０は、図８に示すような上部輪郭形状を有するパウチＰにも貼り着けることが可能である。この場合、パウチＰの上部輪郭形状に対応して上貼り着け部分１３Ｂの配置位置、形状等を適宜設定させることができる。
【００６２】
本実施形態においては、前記被着物が、内容物の移動等により被着物（容器）表面形状の変形可能な詰め替え用パウチ容器Ｐとされているが、これに限らず、内容物の移動等により表面形状が変形しない固い容器に貼り着けるものとすることができる。この場合でも、剥離部分における剥離性と再貼着性とを両立し、再貼り着け用ラベル１０および剥離部分１２の両方において貼り着け不良が発生することを防止できる。
【００６３】
本実施形態においては、セパレータ１４は、ラベル本体１１の幅方向Ｈの全寸法Ｈ０と等しくなるように設けられていたが、図９に示すように、剥離部分１２を含んだその周辺のみを覆って、ラベル本体１１より幅寸法の小さなセパレータ１４Ａとすることもできる。この場合でも、セパレータ１４Ａも、矩形状の輪郭を有するものとされているが、ラベル本体１１および／または剥離部分１２の輪郭形状に対応した所定の形状として設定することもできる。
この場合も、貼り着け部分１３Ａ，１３Ｂは、図９に示すように、セパレータ１４Ａの上下に下貼り着け部分１３Ａと上貼り着け部分１３Ｂとがそれぞれ設けられており、これら下貼り着け部分１３Ａと上貼り着け部分１３Ｂとは、セパレータ１４Ａの幅方向Ｈ外側位置で連続するように設けられている。そして、下貼り着け部分１３Ａと上貼り着け部分１３Ｂとは、上述したように、再貼り着け用ラベル１０をパウチＰに貼り着ける際に必要な上下方向Ｖにおける幅寸法、および幅方向Ｈにおける寸法Ｈ０を有することが必要である。
【産業上の利用可能性】
【００６４】
本発明の活用例として、図１０に示すように、剥離部分１２が、詰め替え容器の使用開始表示など、購入者が自分で詰め替え日等の期日を記入できる記入欄となっているもの、図１１に示すように、剥離部分１２が、再貼り付けした容器に詰め替えた内容物を識別するための内容物識別欄となっているもの、図１２に示すように、剥離部分１２が、再貼り付けした容器に充填した内容物に対する使用上の注意等、使用できない製品の紹介などとされる製造業者側の注意書き表示を記載した注意喚起欄となっているもの、図１３に示すように、剥離部分１２が、再貼り付けした容器に、充填した内容物に対する製造上の識別番号であるロットナンバーを記載して、詰め替え前の情報を詰め替え後も残すためのロットナンバー欄や、はがき応募などに対応したマイレージキャンペーンラベル表示として購入者へのポイントシールと記載したポイント欄、あるいはこれらの複合欄となっているもの、図１４に示すように、剥離部分１２が、再貼り付けした容器に充填した内容物（詰め替え製品）に対する賞味期限表示、消費期限表示等を予め印字された期限日表示欄となっているもの、図１５に示すように、剥離部分１２が、袋入り調味料（砂糖・塩等）など開封後に再度保存する内容物において、開封後に開口された部分を再度閉塞しておくための袋止ラベル欄、インスタントやきそばなど熱湯調理（加熱調理）の必要なインスタント食品等において、開封後の調理時に開口された部分を再度閉塞しておくための袋止ラベル欄、または、再貼り付けした容器に充填した後に、パウチ（詰め替え容器）Ｐを丸めた際、留めてパウチＰを捨てやすくする係留シール欄となっているものなどを挙げることができる。
【符号の説明】
【００６５】
１０…再貼り着け用ラベル（ラベル）
１１…ラベル本体
１２…剥離部分
１３…粘着領域
１３Ａ…下貼り着け部分（貼り着け部分）
１３Ｂ…上貼り着け部分（貼り着け部分）
１４…セパレータ
Ｐ…パウチ（被着物）
【図１】
0006501473.tif 000002
【図２】
0006501473.tif 000003
【図３】
0006501473.tif 000004
【図４】
0006501473.tif 000005
【図５】
0006501473.tif 000006
【図６】
0006501473.tif 000007
【図７】
0006501473.tif 000008
【図８】
0006501473.tif 000009
【図９】
0006501473.tif 000010
【図１０】
0006501473.tif 000011
【図１１】
0006501473.tif 000012
【図１２】
0006501473.tif 000013
【図１３】
0006501473.tif 000014
【図１４】
0006501473.tif 000015
【図１５】
0006501473.tif 000016